(57)【特許請求の範囲】
【請求項１】
上面に開閉可能な上蓋を有する円筒状の胴部と、該胴部下面の中央に排出筒を有する底部とからなる穀類収納袋であって、上記排出筒の近傍に折り畳んだ排出筒を遮蔽する覆い布を取り付け、この覆い布の自由端縁に連絡紐を介して１乃至複数の係止具を取り付けると共に、上記胴部の側面にこの係止具と互いに係合する１乃至複数の係止受具を取り付け、胴部側面で上記係止具・係止受具の係合、解除ができるようにした穀類収納袋において、上記係止具・係止受具とは別に、上記連絡紐に少なくとも２つの第１のループ状の係止紐を取り付け、上記係止受具近傍に上記係止紐と対応する第２のループ状の係止紐をそれぞれ取り付け、互いに対応する第１の係止紐と第２の係止紐をそれぞれフック金具で連結するようにしたことを特徴とする穀類収納袋。
【発明の詳細な説明】
【０００１】
【発明の属する技術分野】
この発明は、穀類収納袋の改良に関し、袋体の底部に設けた排出口を簡単に開閉できるようにして作業の安全性を高めたものである。
【０００２】
【従来の技術】
従来から種々の穀類収納袋が使用されているが、その一般的な構造は、例えば、上面に開閉可能な上蓋を有する円筒状の胴部と、中央に円筒状の排出筒を有する底部と、底部を閉塞する菊割り状の底受け材とから構成されている。
【０００３】
【発明が解決しようとする課題】
そして、その使用に当たっては、底部の排出筒の先端開口部を紐で縛って閉止した上で折り畳み、さらに菊割り状の底受け材を絞縮して底部を形成し、胴部に取付けた吊り下げ紐等で吊り下げて、穀類を上部から投入するようにしている。従って、穀類の投入までに、底部を形成するのに多大な手間を要するものであった。
【０００４】
また、この収納袋から穀類を排出する場合には、穀類で満杯となった収納袋を比較的高い位置に吊り下げ、収納袋の下に潜って上記菊割り状の底受け材の絞縮紐を解き、さらに排出筒の紐を解いて排出筒から一気に穀類を排出するようにしている。
【０００５】
しかし、満杯の穀類収納袋は場合によっては１トン以上の重量にもなり、収納袋の下方に潜って底部を開口する作業は、袋が落下するおそれがあり危険であった。
【０００６】
本発明は、穀類収納袋において、底部の排出口の閉止、開放を簡便なものとし、作業の安全性を高めた穀類収納袋を提供することを目的としたものである。
【０００７】
【課題を解決するための手段】
本発明は、上面に開閉可能な上蓋を有する円筒状の胴部と、該胴部下面の中央に排出筒を有する底部とからなる穀類収納袋であって、上記排出筒の近傍に折り畳んだ排出筒を遮蔽する覆い布を取り付け、この覆い布の自由端縁に連絡紐を介して１乃至複数の係止具を取り付けると共に、上記胴部の側面にこの係止具と互いに係合する１乃至複数の係止受具を取り付け、胴部側面で上記係止具・係止受具の係合、解除ができるようにした穀類収納袋において、上記係止具・係止受具とは別に、上記連絡紐に少なくとも２つの第１のループ状の係止紐を取り付け、上記係止受具近傍に上記係止紐と対応する第２のループ状の係止紐をそれぞれ取り付け、互いに対応する第１の係止紐と第２の係止紐をそれぞれフック金具で連結するようにするという手段を採用した。
【０００８】
かかる構成の穀類収納袋は、折り畳んだ排出筒を覆い布で遮蔽して胴部側面で係止具を係合させるようにしたので、底部を簡単に閉止可能である。このとき、穀類を投入しても、その自重によって折り畳んだ排出筒が押しつぶされ、穀類の通路が完全に遮断されるから、その漏出を確実に防止できるようになる。また、収納袋の側面から係止具の係合を解除することができるので、従来のように袋の下方に潜り込んで作業することがなくなるものである。
【００１１】
更に、対応する第１と第２の係止紐をそれぞれフック金具で連結しているので、上記係止具・係止受具が不用意に外れた場合にも、補完的に覆い布を保持し、覆い布が開放されない。そのため、胴部の収納物が漏出することがなくなるものである。
【００１２】
【発明の実施の形態】
以下、本発明にかかる穀類収納袋の好ましい実施形態を、添付した図面に従って説明する。図１において、１は上面に開閉可能な上蓋（図示せず）を有する円筒状の胴部、２は胴部下面の底部であって、中央に穀類等の収納物を排出する排出筒３を設けたものである。また４はクレーン等でこの収納袋を吊り下げるための吊り下げ紐である。かかる構成は従来のこの種穀類収納袋の一般的な構成と共通するものである。
【００１３】
次に、５は底部の上記排出筒３の近傍に一辺を縫着した矩形状の覆い布である。この覆い布５は上記排出筒３を折り畳んで該部を遮蔽する大きさを有し、その自由端縁には連絡紐６を介して係止具７ａを取り付ける。この係止具７ａは、下述する胴部１の係止受具７ｂと互いに係合するものである。また、連絡紐６にはさらに別にループ状の係止紐８ａを取り付けている。９はこの係止紐８ａに掛止したフック金具である。
【００１４】
一方、収納袋の胴部１には、上記係止具７ａと対応する位置に該係止具７ａと互いに係合する係止受具７ｂを取り付け、胴部側面において互いに係合するようにする。この係止具７ａ、係止受具７ｂはワンタッチで係合、解除が可能なものが好ましく、公知の各種係止用具が利用可能である。更に、係止受具７ｂに沿って別にループ状の係止紐８ｂを取り付ける。なお、上記係止具７ａおよび係止受具７ｂは一組で係止具として機能するものであるから、覆い布５の方に係止受具７ｂを取り付け、胴部１に係止具７ａを取り付けてもよい。
【００１５】
なお、上記係止紐８ａ、８ｂおよびフック金具９は、上記係止具７ａ、係止受具７ｂの係合が何らかの原因で外れた場合を考えて、予備的または補完的に設けるものである。また、図面においては係止具の組を２個取り付けているが、これに限定するものではなく、袋の大きさ等を考慮して、一組乃至複数組、自由に設けることができる。
【００１６】
上記係止具７ａと係止受具７ｂの組からなる係止用具の具体的な例を図３から図６に示す。図３は、例えば自動車のシートベルトの係止用具として広く採用されている形式である。即ち、係止具７ａは先細の金属プレート１０の先端部分に係合孔１０ａを設けたものであり、一方係止受具７ｂは、筐体１１の先端に上記金属プレート１０が挿入可能な挿着孔１１ａを設けると共に、その近傍に解除ボタン１１ｂを設けたバックル状のものである。この係止用具は、金属プレート１０を挿着孔１１ａに挿入するだけで簡単・確実に係合し、解除ボタン１１ｂを押せば直ちに係合を解除できる。
【００１７】
図４は、例えば航空機等のシートベルトの係止用具として採用されている形式である。係止具７ａは先端部分に係合孔１２ａを設けた金属プレート１２であり、係止受具７ｂであるバックルは、基体１３に回動自在な係止プレート１３ａを取り付けた構造である。金属プレート１２を基体１３と係止プレート１３ａの隙間に挿入することで係合し、係止プレートの端部を持ち上げれば係合を解除することができる。
【００１８】
図５は、例えば鞄やウエストポーチ等のベルトに採用されている合成樹脂製のバックルの例である。係止具７ａは先端に係止部１４ａを設けた略矢印状のプレート部材１４からなる。係止受具７ｂは基体１５の両外側に突出して解除ボタン１５ａを設けた部材で、プレート部材１４を基体１５内に挿入することによって係止部１４ａが係合し、解除ボタン１５ａを両側から押すことで係合を解除できるものである。
【００１９】
図６は、例えばベビーカーやチャイルドシートなどで採用されている形式の係止用具である。係止具７ａは先端部分に係合孔１６ａを設けた金属プレート１６であり、係止受具７ｂは、基体１７の前面に挿着孔１７ａを設けると共に、基体上面に解除ボタン１７ｂを設けたものである。金属プレート１６を挿着孔１７ａに挿入することで係合し、解除ボタン１７ｂを押せば、簡単に係合を解除することができる。
【００２０】
なお、上述した各係止用具は例示であって、これらに限定するものではなく、公知の構成が全て含まれるものであることはいうまでもない。即ち、対となる係止具７ａと係止受具７ｂが簡単に係合して、袋の底部２を覆い布５で強固に遮蔽することができればよく、また、袋内に穀類が充填され、係止用具に大きな負荷がかかって緊張している場合には、その負荷に十分耐えうるものであり、さらに、穀類を排出する場合は、ワンタッチで係合を解除できるものであればよい。
【００２１】
次にこの収納袋の使用方法について説明すると、図２に示すように、使用に先立ち、排出筒３を適当に折り畳み、これを覆い布５で覆い、連絡紐６を介して係止具７ａ、係止受具７ｂを互いに係合させる。また、係止紐８ａ、８ｂはフック金具９を介して互いに連結する。各係止具の組は互いに係合した状態で覆い布５が緊張した状態となるような位置に取り付けられているので、袋の底部が堅固に構成され、この状態で穀類を投入して底部に荷重がかかっても穀類は排出筒に侵入することはなく、底部から穀類が漏出することはない。即ち、投入された穀類の荷重によって、折り畳まれた排出筒はそのまま押しつぶされたようになり、穀類の漏出が確実に防止される。また、係止紐８ａ、８ｂをフック金具９を介して連結しているので、不用意に係止具の係合が解かれても、覆い布５が外れることはなく、穀類は排出されない。
【００２２】
収納した穀類を排出する場合には、吊り下げ紐４を介して収納袋をクレーン等で吊り下げるものであるが、作業員は従来のように収納袋の下方に潜り込む必要はなく、側方から係止具７ａ、係止受具７ｂの係合および係止紐８ａ、８ｂの連結を解除すれば覆い布５が外れ、中身の自重で折り畳まれていた排出筒３が展開し、穀類が容易に排出できる。
【００２３】
【発明の効果】
以上述べたように、本発明にかかる穀類収納袋は、排出筒を覆い布で覆って係止具を胴部側面で係合するようにしたので、穀類の排出時に収納袋の下方に潜って底部を開放するような手間を要さず、側方から係止具を解除するだけで穀類が容易に排出できる。従って、排出作業の安全性が著しく向上すると共に、底部の開放の手間も従来に比べて簡便なものとなった。
【００２４】
また、係止具と併せて別に係止紐同士をフック金具で連結することによって、不用意に係止具が解除された場合にも覆い布が開放されないので、二重の安全性が確保できる。
【００２５】
さらに、底部の閉塞も、排出筒を折り畳んで覆い布で覆い、係止具、係止受具を互いに係合させるだけなので、従来の菊割り状の底受け材を使用したものに比べて極めて簡便に底部を閉塞でき、作業性が向上する。
【図面の簡単な説明】
【図１】本発明にかかる穀類収納袋の展開斜視図である。
【図２】底部を閉塞した使用状態を示す斜視図である。
【図３】係止具と係止受具の例を示す斜視図である。
【図４】係止具と係止受具の他の例を示す斜視図である。
【図５】係止具と係止受具の他の例を示す斜視図である。
【図６】係止具と係止受具の他の例を示す斜視図である。
【符号の説明】
１      胴部
２      底部
３      排出筒
４      吊り下げ紐
５      覆い布
６      連絡紐
７ａ    係止具
７ｂ    係止受具
８ａ    係止紐
８ｂ    係止紐
９      フック金具
【図１】
0003794635.tif 000002
【図２】
0003794635.tif 000003
【図３】
0003794635.tif 000004
【図４】
0003794635.tif 000005
【図５】
0003794635.tif 000006
【図６】
0003794635.tif 000007